(57)【要約】【課題】低コストかつ簡便にかび臭物質を除去できるかび臭物質の除去方法およびかび臭物質を除去可能な水処理装置の提供。【解決手段】被処理水に含まれるジェオスミンおよび２−ＭＩＢの少なくとも一方を除去するかび臭物質の除去方法およびかび臭物質を除去可能な水処理装置１であって、前記かび臭物質の除去方法はジェオスミンおよび２−メチルイソボルネオールの少なくとも一方と包接化合物を形成し得る環状化合物と、被処理水とを混合する混合工程と、前記環状化合物を混合した被処理水とイオン交換体とを接触させるイオン交換処理工程とを有し、前記かび臭物質を除去可能な水処理装置１は被処理水と前記環状化合物とを混合する混合手段３０と、環状化合物を混合した被処理水と陰イオン交換体とを接触させるイオン交換処理手段４０とを備える。【選択図】図１
2019018179.tif 000002
【特許請求の範囲】
【請求項１】
被処理水に含まれるジェオスミンおよび２−メチルイソボルネオールの少なくとも一方を除去するかび臭物質の除去方法であって、
ジェオスミンおよび２−メチルイソボルネオールの少なくとも一方と包接化合物を形成し得る環状化合物と、被処理水とを混合する混合工程と、
前記環状化合物を混合した被処理水とイオン交換体とを接触させるイオン交換処理工程と、
を有する、かび臭物質の除去方法。
【請求項２】
前記環状化合物が、シクロデキストリン、カリックスアレーンおよびこれらの派生物からなる群より選ばれる１種以上である、請求項１に記載のかび臭物質の除去方法。
【請求項３】
前記環状化合物が負電荷を有し、
前記イオン交換体が陰イオン交換体である、請求項１または２に記載のかび臭物質の除去方法。
【請求項４】
前記環状化合物が正電荷を有し、
前記イオン交換体が陽イオン交換体である、請求項１または２に記載のかび臭物質の除去方法。
【請求項５】
前記イオン交換体を再生する再生工程をさらに有する、請求項１〜４のいずれか一項に記載のかび臭物質の除去方法。
【請求項６】
前記混合工程は、活性炭処理していない被処理水と前記環状化合物とを混合する工程であり、
前記イオン交換処理工程は、前記環状化合物を混合した、活性炭処理していない被処理水とイオン交換体とを接触させる工程である、請求項１〜５のいずれか一項に記載のかび臭物質の除去方法。
【請求項７】
被処理水と活性炭とを接触させる活性炭処理工程をさらに有し、
前記イオン交換処理工程および前記活性炭処理工程を同時に行う、または前記イオン交換処理工程を前記活性炭処理工程の後に行う、請求項１〜５のいずれか一項に記載のかび臭物質の除去方法。
【請求項８】
被処理水に含まれるジェオスミンおよび２−メチルイソボルネオールの少なくとも一方を除去するかび臭物質を除去可能な水処理装置であって、
ジェオスミンおよび２−メチルイソボルネオールの少なくとも一方と包接化合物を形成し得る環状化合物と、被処理水とを混合する混合手段と、
前記環状化合物を混合した被処理水とイオン交換体とを接触させるイオン交換処理手段と、
を備える、かび臭物質を除去可能な水処理装置。
【請求項９】
前記環状化合物が、シクロデキストリン、カリックスアレーンおよびこれらの派生物からなる群より選ばれる１種以上である、請求項８に記載のかび臭物質を除去可能な水処理装置。
【請求項１０】
前記環状化合物が負電荷を有し、
前記イオン交換体が陰イオン交換体である、請求項８または９に記載のかび臭物質を除去可能な水処理装置。
【請求項１１】
前記環状化合物が正電荷を有し、
前記イオン交換体が陽イオン交換体である、請求項８または９に記載のかび臭物質を除去可能な水処理装置。
【請求項１２】
前記イオン交換体を再生する再生設備をさらに備える、請求項８〜１１のいずれか一項に記載のかび臭物質を除去可能な水処理装置。
【請求項１３】
前記混合手段は、活性炭処理していない被処理水と前記環状化合物とを混合する手段であり、
前記イオン交換処理手段は、前記環状化合物を混合した、活性炭処理していない被処理水とイオン交換体とを接触させる手段である、請求項８〜１２のいずれか一項に記載のかび臭物質を除去可能な水処理装置。
【請求項１４】
被処理水と活性炭とを接触させる活性炭処理手段をさらに備え、
前記イオン交換処理手段および前記活性炭処理手段が１つの処理手段として構成されている、または前記イオン交換処理手段が前記活性炭処理手段の下流に設けられている、請求項８〜１２のいずれか一項に記載のかび臭物質を除去可能な水処理装置。
【発明の詳細な説明】
【技術分野】
【０００１】
本発明は、かび臭物質の除去方法およびかび臭物質を除去可能な水処理装置に関する。
【背景技術】
【０００２】
湖沼や貯水池などの停滞水域の中でも特に富栄養化水域では、水温が上昇すると藍藻類等の植物プランクトンや、ストレプトマイセス属の放線菌等の微生物が繁殖し、かび臭が発生することがある。藍藻類の中でも特に、アナベナ・マクロスポラ、オシラトリア・アニマリス、アファニゾメノン・フロスアクアが増殖すると、ジェオスミンが生産される。一方、フォルミディウム・テヌエ、オシラトリア・リムネチカが増殖すると、２−メチルイソボルネオール（２−ＭＩＢ）が生産される。
これらジェオスミンや２−ＭＩＢはかび臭の原因となる物質（かび臭物質）として知られており、ジェオスミンは土臭が強く、２−ＭＩＢは墨汁臭が強い。
【０００３】
これらのかび臭物質の臭気閾値は、ジェオスミンで１０ｐｐｔ、２−ＭＩＢで５ｐｐｔと言われている。水道法で定められた水質基準の上限値は、ジェオスミンおよび２−ＭＩＢ共に１０ｐｐｔであり、水中のこれらの濃度を１０ｐｐｔ以下にすることが求められている。
【０００４】
かび臭物質を除去する方法として、例えば特許文献１には、シクロデキストリンをシリカゲル担体に担持したものを用い、シクロデキストリンによりかび臭物質を包接する方法が開示されている。
特許文献２には、被処理水をオゾン処理することにより、かび臭物質を酸化分解する方法が開示されている。
特許文献３、４には、被処理水を活性炭処理することにより、かび臭物質を吸着除去する方法が開示されている。
【先行技術文献】
【特許文献】
【０００５】
【特許文献１】米国特許第６０２４８７９号明細書
【特許文献２】特開平６−２６９７８６号公報
【特許文献３】特開平６−３４３９５１号公報
【特許文献４】特開２００６−２８２４４１号公報
【発明の概要】
【発明が解決しようとする課題】
【０００６】
しかしながら、特許文献１に記載の方法では、シリカゲル担体に担持されるシクロデキストリンの担持量が少ないため、かび臭物質の吸着量は少なく、充分にかび臭物質を除去できなかった。
特許文献２に記載の方法では、オゾン処理に高価なオゾン発生装置が必要であり、運用コストがかかっていた。また、オゾン処理後に紫外線等で分解する必要があり、コストと手間がかかっていた。
特許文献３、４に記載の方法では、活性炭によるかび臭物質の吸着量が少なく、充分にかび臭物質を除去できなかった。
【０００７】
本発明は上記事情に鑑みてなされたもので、低コストかつ簡便にかび臭物質を除去できるかび臭物質の除去方法およびかび臭物質を除去可能な水処理装置を提供することを課題とする。
【課題を解決するための手段】
【０００８】
本発明は以下の態様を有する。
［１］  被処理水に含まれるジェオスミンおよび２−ＭＩＢの少なくとも一方を除去するかび臭物質の除去方法であって、ジェオスミンおよび２−ＭＩＢの少なくとも一方と包接化合物を形成し得る環状化合物と、被処理水とを混合する混合工程と、前記環状化合物を混合した被処理水とイオン交換体とを接触させるイオン交換処理工程と、を有する、かび臭物質の除去方法。
［２］  前記環状化合物が、シクロデキストリン、カリックスアレーンおよびこれらの派生物からなる群より選ばれる１種以上である、［１］に記載のかび臭物質の除去方法。
［３］  前記環状化合物が負電荷を有し、前記イオン交換体が陰イオン交換体である、［１］または［２］に記載のかび臭物質の除去方法。
［４］  前記環状化合物が正電荷を有し、前記イオン交換体が陽イオン交換体である、［１］または［２］に記載のかび臭物質の除去方法。
［５］  前記イオン交換体を再生する再生工程をさらに有する、［１］〜［４］のいずれか１つに記載のかび臭物質の除去方法。
［６］  前記混合工程は、活性炭処理していない被処理水と前記環状化合物とを混合する工程であり、前記イオン交換処理工程は、前記環状化合物を混合した、活性炭処理していない被処理水とイオン交換体とを接触させる工程である、［１］〜［５］のいずれか１つに記載のかび臭物質の除去方法。
［７］  被処理水と活性炭とを接触させる活性炭処理工程をさらに有し、前記イオン交換処理工程および前記活性炭処理工程を同時に行う、または前記イオン交換処理工程を前記活性炭処理工程の後に行う、［１］〜［５］のいずれか１つに記載のかび臭物質の除去方法。
【０００９】
［８］  被処理水に含まれるジェオスミンおよび２−ＭＩＢの少なくとも一方を除去するかび臭物質を除去可能な水処理装置であって、ジェオスミンおよび２−ＭＩＢの少なくとも一方と包接化合物を形成し得る環状化合物と、被処理水とを混合する混合手段と、前記環状化合物を混合した被処理水とイオン交換体とを接触させるイオン交換処理手段と、を備える、かび臭物質を除去可能な水処理装置。
［９］  前記環状化合物が、シクロデキストリン、カリックスアレーンおよびこれらの派生物からなる群より選ばれる１種以上である、［８］に記載のかび臭物質を除去可能な水処理装置。
［１０］  前記環状化合物が負電荷を有し、前記イオン交換体が陰イオン交換体である、［８］または［９］に記載のかび臭物質を除去可能な水処理装置。
［１１］  前記環状化合物が正電荷を有し、前記イオン交換体が陽イオン交換体である、［８］または［９］に記載のかび臭物質を除去可能な水処理装置。
［１２］  前記イオン交換体を再生する再生設備をさらに備える、［８］〜［１１］のいずれか１つに記載のかび臭物質を除去可能な水処理装置。
［１３］  前記混合手段は、活性炭処理していない被処理水と前記環状化合物とを混合する手段であり、前記イオン交換処理手段は、前記環状化合物を混合した、活性炭処理していない被処理水とイオン交換体とを接触させる手段である、［８］〜［１２］のいずれか１つに記載のかび臭物質を除去可能な水処理装置。
［１４］  被処理水と活性炭とを接触させる活性炭処理手段をさらに備え、前記イオン交換処理手段および前記活性炭処理手段が１つの処理手段として構成されている、または前記イオン交換処理手段が前記活性炭処理手段の下流に設けられている、［８］〜［１２］のいずれか１つに記載のかび臭物質を除去可能な水処理装置。
【発明の効果】
【００１０】
本発明のかび臭物質の除去方法およびかび臭物質を除去可能な水処理装置によれば、低コストかつ簡便にかび臭物質を除去できる。
【図面の簡単な説明】
【００１１】
【図１】本発明の第１の態様のかび臭物質を除去可能な水処理装置の一例を示す概略図である。
【図２】本発明の第２の態様のかび臭物質を除去可能な水処理装置の一例を示す概略図である。
【発明を実施するための形態】
【００１２】
以下、図面を参照して本発明を詳しく説明する。
なお、以下の図面においては、各部材を認識可能な大きさとするため、各部材の縮尺を適宜変更している。
また、図２において、図１と同じ構成要素には同じ符号を付して、その説明を省略する。
【００１３】
本発明の除去の対象となるかび臭物質は、ジェオスミンおよび２−メチルイソボルネオール（２−ＭＩＢ）の少なくとも一方である。
本発明の処理の対象となる被処理水はかび臭物質を含んでいる水である。このような被処理水としては、例えば地下水、井水、河川水、停滞水域の水などが挙げられる。停滞水域としては、例えば湖沼、貯水池などが挙げられる。特に、藍藻類等の植物プランクトンや、ストレプトマイセス属の放線菌等の微生物が繁殖し、かび臭が発生した水を処理するのに本発明は適している。
【００１４】
「第１の態様」
＜かび臭物質を除去可能な水処理装置＞
図１に本発明の第１の態様のかび臭物質を除去可能な水処理装置の一例を示す。
図１に示すかび臭物質を除去可能な水処理装置１は、上流側から順に、停滞水域などから被処理水Ｗを汲み上げる揚水手段１０と、被処理水Ｗを一旦、貯留する貯留槽２０と、被処理水Ｗと環状化合物とを混合する混合手段３０と、環状化合物を混合した被処理水Ｗとイオン交換体とを接触させるイオン交換処理手段４０と、処理された被処理水（以下、「処理水」ともいう。）を貯留する処理水槽５０とを具備する。
【００１５】
揚水手段１０は、停滞水域などの被処理水が存在する領域から被処理水Ｗを汲み上げるものであり、被処理水Ｗを汲み上げる揚水ポンプ１１と、揚水管１２とを備える。
この例の揚水管１２の一端は揚水ポンプ１１に接続され、他端は貯留槽２０に接続されている。
【００１６】
貯留槽２０は、被処理水Ｗを一旦、貯留するものである。被処理水Ｗは、揚水管１２を通過して貯留槽２０に貯留される。
貯留槽２０に貯留された被処理水Ｗは、第１の通水管２１を通過してイオン交換処理手段４０へ供給される。
【００１７】
第１の通水管２１には、被処理水Ｗと環状化合物とを混合する混合手段３０が接続されている。
混合手段３０は、環状化合物を収容する捕捉剤溶解槽３１と、環状化合物を第１の通水管２１に供給する捕捉剤供給管３２とを備える。本実施形態においては、捕捉剤供給管３２は第１の通水管２１の途中で合流しており、第１の通水管２１中で被処理水Ｗに環状化合物が供給され、被処理水Ｗと環状化合物とが混合されるようになっている。
【００１８】
環状化合物としては、ジェオスミンおよび２−ＭＩＢの少なくとも一方と包接化合物を形成し得る化合物を用いる。このような化合物としては、シクロデキストリン、カリックスアレーンおよびこれらの派生物からなる群より選ばれる１種以上が好ましい。
シクロデキストリンは、シャルディンガーデキストリンとも呼ばれ、Ｄ−グルコース分子がα１→４結合で環状構造を形成したものである。シクロデキストリンとしては、重合度６のα−シクロデキストリン、重合度７のβ−シクロデキストリン、重合度８のγ−シクロデキストリンなどが挙げられる。
シクロデキストリンおよびその派生物としては市販品を用いることができ、例えば東京化成工業株式会社製の「アミノ−デオキシ−β−シクロデキストリン」；フナコシ株式会社製の「スルホブトキシ−β−シクロデキストリン」；カルボキシメチル−β−シクロデキストリン（Ｃａｓ  Ｎｏ．：２１８２６９−３４−２）などが挙げられる。
一方、カリックスアレーンは、フェノール誘導体の２，６位がメチレン結合、エーテル結合、スルフィド結合、スルホン結合等の架橋鎖を介して複数個結合した環状オリゴマーである。
【００１９】
シクロデキストリン、カリックスアレーンおよびこれらの派生物は環状構造を有し、その空孔の中に他の原子や分子を包む化合物であり、かび臭物質を包接・捕捉する役割を果たす。例えばカリックスアレーンおよびその派生物は、環状化合物の内孔径からかび臭物質と１：１または２：１の包接錯体を形成することで、かび臭物質を捕捉すると考えられる。よって、被処理水中での環状化合物のモル濃度が、かび臭物質のモル濃度に対して当量以上となるように、被処理水Ｗと環状化合物とを混合することが好ましい。
【００２０】
また、シクロデキストリン、カリックスアレーンおよびこれらの派生物は、他の環状化合物に比べて化学修飾によりアニオン性基（例えばスルホン酸基、カルボキシ基、ホスホン酸基等）またはカチオン性基（例えばアンモニウム基、アミノ基等）を化学導入しやすく、かび臭物質をより包接しやすくなる。
中でも、カリックスアレーンおよびその派生物は硫酸との反応により、アニオン性基であるスルホン酸基を容易に導入でき、精製も容易であり、安価に入手できる点で好ましい。
アニオン性基を導入された環状化合物は負電荷を有し、カチオン性基を導入された環状化合物は正電荷を有する。
【００２１】
シクロデキストリン、カリックスアレーンおよびこれらの派生物の繰り返し単位数は特に制限されない。
また、シクロデキストリン、カリックスアレーンおよびこれらの派生物としては、メチレン結合、スルフィド結合、スルホン結合、エーテル結合等による架橋部分を有するものが挙げられるが、これらに制限されない。以下に一例を示す。
【００２２】
負電荷を有する環状化合物としては、例えば４−スルホカリックス［４］アレーン、４−スルホカリックス［６］アレーン、４−スルホカリックス［８］アレーン、４−スルホチアカリックス［４］アレーン、４−カルボキシメチルカリックス［４］アレーン、カルボキシメチル−β−シクロデキストリンなどが挙げられる。
正電荷を有する環状化合物としては、例えばジメチルアミノメチルカリックス［４］アレーン、トリメチルアンモニウムメチルカリックス［４］アレーン、アミノ−デオキシ−α−シクロデキストリン、アミノ−デオキシ−β−シクロデキストリン、アミノ−デオキシ−γ−シクロデキストリンなどが挙げられる。
【００２３】
イオン交換処理手段４０は、環状化合物を混合した被処理水Ｗとイオン交換体とを接触させるものである。
本実施形態のイオン交換処理手段４０は、イオン交換体が充填されたイオン交換体塔４１を備える。イオン交換体塔４１には、イオン交換体の流出を防止するフィルター４２が設置されている。
イオン交換体塔４１の上部には第１の通水管２１が接続されている。
【００２４】
イオン交換体塔４１には、イオン交換体が固定床または流動床を形成するように充填されている。
イオン交換体は、骨格ポリマー（樹脂母体）の表面および内部に、骨格ポリマーに化学結合されたイオン交換基（固定イオン）を有する。このイオン交換基によりかび臭物質を包接した環状化合物（すなわち、包接化合物）が吸着され、被処理水Ｗからかび臭物質を除去することができる。
骨格ポリマーとしては、スチレン系、（メタ）アクリル系、（メタ）アクリルアミド系、セルロース系などのポリマーが挙げられる。これらの中でも、耐有機汚染性の観点から、親水性ポリマーである（メタ）アクリル系、（メタ）アクリルアミド系ポリマーが好ましく、コスト面からスチレン系ポリマーが好ましい。
【００２５】
イオン交換体としては、陰イオン交換体、および陽イオン交換体が挙げられる。
被処理水Ｗと負電荷を有する環状化合物とを混合する場合は、イオン交換体として陰イオン交換体を用いることが好ましい。被処理水Ｗと正電荷を有する環状化合物とを混合する場合は、イオン交換体として陽イオン交換体を用いることが好ましい。
【００２６】
陰イオン交換体は弱塩基性でも強塩基性でもよいが、かび臭物質を包接した環状化合物が吸着されやすい点で強塩基性陰イオン交換体が好ましい。
ここで、「強塩基性陰イオン交換体」とは、イオン交換基としてアルカリ性でも解離状態にある四級アンモニウム基を有する陰イオン交換体のことである。
【００２７】
強塩基性陰イオン交換体として種々のイオン交換基を有するものが挙げられる。イオン交換基としては、例えば、トリメチルアンモニウム基、トリエチルアンモニウム基、トリプロピルアンモニウム基、トリブチルアンモニウム基、ヒドロキシエチルジメチルアンモニウム基、ジヒドロキシエチルメチルアンモニウム基等が挙げられる。これらの中でも、静的交換容量の最大化、イオン交換基の熱的安定性に劣ることによる溶出に伴う有機物量の増加やイオン交換基に由来する臭気の発生、長期間の使用によるイオン交換基の脱落やイオン交換基の分解に伴うホルムアルデヒドの発生の観点から、イオン交換基としてはトリメチルアンモニウム基が好ましい。
【００２８】
陰イオン交換体としては、陰イオン交換樹脂、陰イオン交換繊維などが挙げられる。
陰イオン交換樹脂の粒子径は、樹脂の圧力損失の上昇を抑制する観点から大きい方が好ましい。陰イオン交換樹脂の平均粒子径は、１００μｍ以上が好ましく、より好ましくは２００μｍ以上であり、さらに好ましくは３００μｍ以上である。
一方、吸着帯長を最小化し貫流交換容量を最大化する観点から、陰イオン交換樹脂の粒子径は小さい方が好ましい。陰イオン交換樹脂の平均粒子径は、８００μｍ以下が好ましく、より好ましくは７００μｍ以下であり、さらに好ましくは６００μｍ以下であり、特に好ましくは５００μｍ以下である。
陰イオン交換樹脂は、粒度分布を有する樹脂でも、粒子径が揃っている均一粒子径の樹脂でもよい。また、陰イオン交換樹脂は、ゲル型でもポーラス型でもよい。ただし、ゲル型の陰イオン交換樹脂を用いる場合、陰イオン交換樹脂に吸着される包接化合物の分子量が比較的大きいため、ゲル型の陰イオン交換樹脂の架橋度は低い方が好ましい。具体的には、ゲル型の陰イオン交換樹脂の架橋度は１０％以下が好ましく、６％以下がより好ましい。一方、ポーラス型の陰イオン交換樹脂を用いる場合、シクロデキストリン、カリックスアレーンおよびこれらの派生物が内部に拡散できる細孔径を有することが好ましい。
陰イオン交換樹脂として強塩基性陰イオン交換樹脂を用いる場合、強塩基性陰イオン交換樹脂はＩ型でもＩＩ型でもよい。
【００２９】
陰イオン交換樹脂としては市販品を用いることができ、例えばザ・ダウ・ケミカル・カンパニー製のアンバーライト「ＩＲＡ４０２」、「ＩＲＡ９０１」、「ＸＴ５００７」、「ＩＲＡ９５８」、「ＩＲＡ４５８」や、ダウエックスマラソン「Ａ」、「Ａ２」、「ＳＢＲ」、「ＭＳＡ」、「ＭＳＡ−１」、「Ｃ」、「Ｃ−１」や、デュオライト「Ａ１３２」；ピュロライト株式会社製のピュロファイン「ＰＦＡ８５０」；ランクセス社製のレバチット「ＭＰ５００」、「Ｍ５００」、「ＭＰ５０４」、「Ａ８０７１」；イオン・エクスチェンジ・インディア社製の「インディオンＡ９３０」；杭州争光樹脂有限公司製の「争光ＺＧＤ７３０」；三菱ケミカル株式会社製のダイヤイオン「ＳＡ１０Ａ」、「ＳＡ１２Ａ」、「ＳＡ２０Ａ」、「ＰＡ３０８」や、リライト「ＪＡ８００」、「ＪＡ８１０」などが好適である。
【００３０】
陰イオン交換繊維を構成する繊維としては、短繊維でも長繊維でもよい。陰イオン交換繊維はグラフト重合タイプであってもよい。
陰イオン交換繊維の平均繊維径は、１μｍ以上が好ましく、より好ましくは１０μｍ以上である。また、陰イオン交換繊維の平均繊維径は、１ｍｍ以下が好ましく、より好ましくは５００μｍ以下であり、さらに好ましくは１００μｍ以下であり、特に好ましくは５０μｍ以下である。
陰イオン交換繊維としては市販品を用いることができ、例えば株式会社ニチビ製の「ＩＥＦ−ＳＡ」などが好適である。
【００３１】
陽イオン交換体は弱酸性でも強酸性でもよいが、かび臭物質を包接した環状化合物が吸着しやすい点で強酸性陽イオン交換体が好ましい。
ここで、「強酸性陽イオン交換体」とは、イオン交換基としてスルホン酸基を有する陽イオン交換体のことである。
【００３２】
陽イオン交換体としては、陽イオン交換樹脂、陽イオン交換繊維などが挙げられる。
陽イオン交換樹脂としては市販品を用いることができ、例えばザ・ダウ・ケミカル・カンパニー製のアンバージェット「１２００」やアンバーライト「ＩＲ１２０Ｂ」、「ＩＲ１１２」や、ダウエックス「ＭＳＣ−１」、「ＨＣＲ」；ランクセス社製のレバチット「ＳＰ１１２」、「Ｓ１００」；三菱ケミカル株式会社製のダイヤイオン「ＳＫ１Ｂ」、「ＳＫ１０４」、「ＰＫ２０８」、「ＰＫ２１２」などが好適である。
【００３３】
陽イオン交換繊維を構成する繊維としは、短繊維でも、長繊維でもよい。陽イオン交換繊維はグラフト重合タイプであってもよい。
陽イオン交換繊維の平均繊維径は、１μｍ以上が好ましく、より好ましくは１０μｍ以上である。また、陽イオン交換繊維の平均繊維径は、１ｍｍ以下が好ましく、より好ましくは５００μｍ以下であり、さらに好ましくは１００μｍ以下であり、特に好ましくは５０μｍ以下である。
陽イオン交換繊維としては、市販品を用いることができ、例えば株式会社ニチビ製の「ＩＥＦ−ＳＣ」などが好適である。
【００３４】
この例のイオン交換処理手段４０には、イオン交換体を再生する再生設備６０が設けられている。
再生設備６０は、再生剤をイオン交換処理手段４０のイオン交換体塔４１に供給する再生剤供給管６１と、イオン交換体塔４１から再生剤を排出する再生剤排出管６２と、再生剤を収容する再生剤収容タンク６３とを備える。本実施形態においては、再生剤供給管６１の一端は再生剤収容タンク６３に接続され、他端はイオン交換体塔４１の上部に接続されている。一方、再生剤排出管６２の一端はイオン交換体塔４１の下部に接続されている。
【００３５】
再生剤としては、塩化ナトリウム、塩化カリウム、硫酸ナトリウム、硫酸アンモニウム、水酸化ナトリウム、臭化ナトリウム、硫酸、塩酸、海水等の水溶液が挙げられる。これらの中でも、１段再生で陰イオン交換体の対イオンが塩化物イオンとなることから、塩化ナトリウム水溶液、塩化カリウム水溶液が好適である。再生剤として硫酸ナトリウム、水酸化ナトリウム、臭化ナトリウム、硫酸アンモニウム等の再生剤の水溶液を用いた場合、陰イオン交換体の対イオンが硫酸イオン、水酸化物イオンまたは臭化物イオンとなるため、塩化物イオン形に変換するために、塩化ナトリウム水溶液や塩化カリウム水溶液を用いて二段再生してもよい。
【００３６】
イオン交換処理手段４０を通過した被処理水Ｗは、イオン交換体塔４１の下端から排出され、第２の通水管４３を通過して処理水槽５０に貯留される。第２の通水管４３の一端はイオン交換体塔４１の下部に接続され、他端は処理水槽５０に接続されている。
処理水槽５０には、処理水を受水槽（図示略）へ供給する第１の処理水供給管５１が接続されている。
また、処理水槽５０には、処理水ポンプ５２を備えた第２の処理水供給管５３が接続されている。第２の処理水供給管５３は再生剤供給管６１に合流している。
【００３７】
＜かび臭物質の除去方法＞
以下、図１に示すかび臭物質を除去可能な水処理装置１を用いた被処理水からのかび臭物質の除去方法の一例について説明する。
まず、揚水ポンプ１１を作動させて停滞水域などから被処理水Ｗを汲み上げる。汲み上げられた被処理水Ｗは揚水管１２を通って貯留槽２０に供給され、一旦貯留される。
【００３８】
貯留槽２０に貯留された被処理水Ｗは、第１の通水管２１を通ってイオン交換処理手段４０に供給される。被処理水Ｗが第１の通水管２１を通過する際に、第１の通水管２１と捕捉剤供給管３２との合流点において、被処理水Ｗと環状化合物とが混合される（混合工程）。
被処理水Ｗと環状化合物との混合割合は、被処理水Ｗ中に含まれるかび臭物質の濃度に応じて決定される。具体的には、被処理水中での環状化合物のモル濃度が、かび臭物質のモル濃度に対して当量以上となるように、被処理水Ｗと環状化合物とを混合することが好ましい。被処理水Ｗに対する環状化合物の割合が多くなるほどかび臭物質を包接しやすくなるが、一方でイオン交換体の処理量が増えて吸着飽和に達しやすくなる傾向にある。イオン交換体のライフやコスト、被処理水Ｗ中の有機物の含有量を考慮し、被処理水Ｗの１Ｌに対して、環状化合物の濃度が１ｐｐｍ以下となるように、被処理水Ｗと環状化合物とを混合することが好ましく、より好ましくは１００ｐｐｂ以下であり、さらに好ましくは１０ｐｐｂ以下であり、特に好ましくは１ｐｐｂ以下である。
【００３９】
環状化合物が混合された被処理水Ｗはイオン交換処理手段４０に供給される。被処理水Ｗは下向流にてイオン交換処理手段４０のイオン交換体塔４１を通過し、この間にイオン交換体と接触する（イオン交換処理工程）。
被処理水Ｗがイオン交換体と接触することで、かび臭物質を包接した環状化合物が陰イオン交換体に吸着され、その結果、かび臭物質が被処理水Ｗから除去される。
【００４０】
イオン交換体塔４１に通水される被処理水Ｗの通液速度は水質によって異なるが、例えば空間速度（ＳＶ）で１〜２００ｈｒ−１が好ましく、５〜１００ｈｒ−１がより好ましく、１０〜５０ｈｒ−１がさらに好ましい。通液速度が小さいと、イオン交換体塔４１へのイオン交換体の充填量が増える。一方、通液速度が大きいと、吸着帯長が長くなり、交換基の利用効率が低下する。
また、イオン交換体塔４１に通水される被処理水Ｗの通液温度は４〜７０℃が好ましく、５〜５０℃がより好ましく、１０〜３５℃がさらに好ましい。通液温度が低いとイオン交換体内での拡散速度が小さくなり、処理量が低下する。一方、通液温度が高いとイオン交換体が分解したり、溶出量が増加して劣化したりする。
【００４１】
イオン交換処理手段４０を通過した被処理水Ｗは処理水として第２の通水管４３を通って処理水槽５０に供給され、一旦貯留される。そして、第１の処理水供給管５１を通って受水槽（図示略）へ供給される。
【００４２】
被処理水Ｗを連続的に処理するに際して、イオン交換体塔４１に充填されたイオン交換体を定期的に再生することが好ましい（再生工程）。
イオン交換体を再生する場合、まず、揚水ポンプ１１を停止する。次いで、再生剤収容タンク６３から再生剤供給管６１へ再生剤を供給する。再生剤は再生剤供給管６１を通ってイオン交換体塔４１へと供給される。イオン交換体塔４１へ供給された再生剤は、下向流にてイオン交換体塔４１を通過し、イオン交換体塔４１の下部から排出され、再生剤排出管６２を通って系外へ排出される。
【００４３】
再生剤収容タンク６３に収容された再生剤は比較的濃度が高いため、希釈してからイオン交換体塔４１へ供給することが好ましい。再生剤の希釈には、処理水、または状況によっては原水を用いることが好ましい。
処理水を用いて再生剤を希釈する場合は、処理水ポンプ５２を作動させ、処理水槽５０に貯留された処理水を第２の処理水供給管５３へ送液する。処理水は第２の処理水供給管５３を通り、再生剤供給管６１へと供給され、再生剤供給管６１中で再生剤は処理水により希釈される。
イオン交換体塔４１を通過する再生剤の濃度は、再生剤の総質量に対して２〜２５質量％が好ましく、２〜２０質量％がより好ましく、４〜２０質量％がさらに好ましく、７〜１５質量％が特に好ましい。
【００４４】
イオン交換体塔４１への再生剤の通水量は、イオン交換体塔４１に充填されたイオン交換体１Ｌに対して、再生剤の投入量は５０〜１０００ｇとなる範囲が好ましい。例えば、イオン交換体１Ｌに対して濃度１０質量％の塩化ナトリウム水溶液５００ｍＬをイオン交換体塔４１に通液した場合、再生剤の投入量は５０ｇ／Ｌ−樹脂となり、再生剤の再生レベル５０ｇと呼ばれている。
【００４５】
なお、イオン交換体に有機物が吸着している場合には、再生剤としてメタノール、エタノール等の水溶性アルコール類、またはその水溶液もしくはその電解質溶液を用いてもよい。
回生操作を行ってもイオン交換体の機能が回復しない場合は、イオン交換体を入れ替える。
【００４６】
＜作用効果＞
以上説明した本発明の第１の態様のかび臭物質を除去可能な水処理装置、および該かび臭物質を除去可能な水処理装置を用いたかび臭物質の除去方法によれば、上述した特定の環状化合物と被処理水とを混合することにより、被処理水中に含まれるかび臭物質が環状化合物によって補足される。さらに、環状化合物を混合した被処理水とイオン交換体とを接触させることにより、かび臭物質を包接した環状化合物がイオン交換体に吸着され、被処理水からかび臭物質が除去される。
このように本発明によれば、被処理水と環状化合物との混合、および環状化合物が混合された被処理水とイオン交換体との接触という低コストかつ簡便な方法で、被処理水からかび臭物質を除去できる。
【００４７】
＜他の形態＞
図１に示すかび臭物質を除去可能な水処理装置１では、第１の通水管２１の他端がイオン交換体塔４１の上部に接続され、第２の通水管４３の一端はイオン交換体塔４１の下部に接続されているが、第１の通水管２１の他端はイオン交換体塔４１の下部に接続され、かつ第２の通水管４３の一端はイオン交換体塔４１の上部に接続されていてもよい。この場合、被処理水Ｗは上向流にてイオン交換体塔４１を通過する。また、イオン交換体塔４１を横向きに設置し、被処理水Ｗを横向流で通水してもよい。ただし、被処理水Ｗの縦拡散による吸着帯長の増加、その結果による処理量の低下、プロセスの簡素化の観点から、被処理水Ｗを下向流でイオン交換体塔４１に通水させるのが好ましい。
【００４８】
また、図１に示すかび臭物質を除去可能な水処理装置１では、第１の通水管２１中で環状化合物と被処理水Ｗとを混合しているが、環状化合物と被処理水Ｗとを貯留槽２０で混合しても、イオン交換体塔４１で混合してもよい。すなわち、図１では捕捉剤供給管３２が第１の通水管２１に接続されているが、捕捉剤供給管３２を貯留槽２０に接続しても、イオン交換体塔４１の上部に接続してもよい。
【００４９】
図１に示すイオン交換処理手段４０は再生設備６０を備えており、イオン交換体をその場で再生することが可能とされている。例えばイオン交換体塔４１を新品の陰イオン交換体が充填されたものに交換し、使用済みのイオン交換体塔４１を別の場所に移動させた後に、イオン交換体の再生処理を行ってもよい。この場合、再生設備６０の設置を省くことができる。
【００５０】
また、イオン交換処理手段４０の上流に、ろ過砂、ろ過砂利、マンガン砂、二酸化マンガン粒等の砂が充填された砂ろ過塔（図示略）を設置してもよい。被処理水に鉄やマンガンが含まれている場合、砂ろ過塔により鉄およびマンガンが除去される。被処理水を砂ろ過塔に供給する前に、被処理水にポリ塩化アルミニウム（ＰＡＣ）、硫酸アルミニウム（硫酸バンド）、有機高分子凝集剤、有機凝結剤等の凝集剤を添加しておくことが好ましい。
なお、被処理水中に鉄（II）イオンが多く含まれている場合には、砂ろ過塔で被処理水を処理する前に、被処理水に空気をバブリングまたは圧入して鉄（II）イオンを鉄（III）イオンに空気酸化してもよい。あるいは次亜塩素酸ナトリウムによる酸化により鉄（III）イオンを沈殿させてもよい。
【００５１】
また、イオン交換処理手段４０と処理水槽５０との間に膜分離手段（図示略）を設置してもよい。被処理水に細菌や懸濁物質が含まれている場合、膜分離手段により細菌および懸濁物質が除去される。
膜分離手段としては特に制限されないが、公知の分離膜（ろ過膜）を備えた公知の膜モジュールが挙げられる。分離膜の種類としては、精密ろ過膜（ＭＦ膜）、限外ろ過膜（ＵＦ膜）が好ましい。
【００５２】
さらに、第１の態様では、被処理水Ｗを一旦、貯留槽２０に貯留しているが、被処理水Ｗを直接、イオン交換処理手段４０に供給してもよい。この場合、揚水管１２が第１の通水管２１を兼ねることとなるため、揚水管１２に混合手段３０が接続される。
【００５３】
「第２の態様」
＜かび臭物質を除去可能な水処理装置＞
図２に本発明の第２の態様のかび臭物質を除去可能な水処理装置の一例を示す。
図２に示すかび臭物質を除去可能な水処理装置２は、上流側から順に、停滞水域などから被処理水Ｗを汲み上げる揚水手段１０と、被処理水Ｗを一旦、貯留する貯留槽２０と、被処理水Ｗと活性炭とを接触させる活性炭処理手段７０と、被処理水Ｗと環状化合物とを混合する混合手段３０と、環状化合物を混合した被処理水Ｗとイオン交換体とを接触させるイオン交換処理手段４０と、処理水を貯留する処理水槽５０とを具備する。
【００５４】
第１の態様では図１に示すように貯留槽２０とイオン交換処理手段４０との間に活性炭処理手段が設けられていない。すなわち、第１の態様において、混合手段３０は活性炭処理していない被処理水Ｗと環状化合物とを混合する手段であり、イオン交換処理手段４０は環状化合物を混合した、活性炭処理していない被処理水Ｗとイオン交換体とを接触させる手段である。
対して、第２の態様では図２に示すように貯留槽２０とイオン交換処理手段４０との間に活性炭処理手段７０が設けられている。また、混合手段３０は後述する第３の通水管７２に接続されている。これらの点で、第２の態様のかび臭物質を除去可能な水処理装置２は第１の態様のかび臭物質を除去可能な水処理装置１と異なる。それ以外の点は第１の態様のかび臭物質を除去可能な水処理装置１と同様であり、好ましい態様も同様である。
【００５５】
活性炭処理手段７０は、被処理水Ｗと活性炭とを接触させるものである。
本実施形態の活性炭処理手段７０は、活性炭が充填された活性炭吸着塔７１を備える。
活性炭吸着塔７１の上部には第１の通水管２１が接続されている。
【００５６】
活性炭処理手段７０を通過した被処理水Ｗは、活性炭吸着塔７１の下端から排出され、第３の通水管７２を通過してイオン交換処理手段４０に供給される。第３の通水管７２の一端は活性炭吸着塔７１の下部に接続され、他端はイオン交換体塔４１の上部に接続されている。
第３の通水管７２には、被処理水Ｗと環状化合物とを混合する混合手段３０が接続されている。本実施形態においては、捕捉剤供給管３２は第３の通水管７２の途中で合流しており、第３の通水管７２中で被処理水Ｗに環状化合物が供給され、被処理水Ｗと環状化合物とが混合されるようになっている。
【００５７】
＜かび臭物質の除去方法＞
以下、図２に示すかび臭物質を除去可能な水処理装置２を用いた被処理水からのかび臭物質の除去方法の一例について説明する。
まず、揚水ポンプ１１を作動させて停滞水域などから被処理水Ｗを汲み上げる。汲み上げられた被処理水Ｗは揚水管１２を通って貯留槽２０に供給され、一旦貯留される。
【００５８】
貯留槽２０に貯留された被処理水Ｗは、第１の通水管２１を通って活性炭処理手段７０に供給される。被処理水Ｗは、下向流にて活性炭処理手段７０の活性炭吸着塔７１を通過し、この間に活性炭と接触する（活性炭処理工程）。
かび臭物質中には、トリハロメタンが含まれている場合がある。被処理水Ｗが活性炭と接触することで、かび臭物質中にトリハロメタンが含まれている場合は、トリハロメタンが除去される。
【００５９】
活性炭処理手段７０を通過した被処理水Ｗは、第３の通水管７２を通ってイオン交換処理手段４０に供給される。被処理水Ｗが第３の通水管７２を通過する際に、第３の通水管７２と捕捉剤供給管３２との合流点において、被処理水Ｗと環状化合物とが混合される（混合工程）。
環状化合物が混合された被処理水Ｗはイオン交換処理手段４０に供給され、イオン交換処理手段４０のイオン交換体塔４１を通過し、この間にイオン交換体と接触する（イオン交換処理工程）。
被処理水Ｗがイオン交換体と接触することで、かび臭物質を包接した環状化合物が陰イオン交換体に吸着され、その結果、かび臭物質が被処理水Ｗから除去される。
【００６０】
イオン交換処理手段４０を通過した被処理水Ｗは処理水として第２の通水管４３を通って処理水槽５０に供給され、一旦貯留される。そして、第１の処理水供給管５１を通って受水槽（図示略）へ供給される。
【００６１】
被処理水Ｗと環状化合物との混合割合、イオン交換体塔４１に通水される被処理水Ｗの通液速度および通液温度、イオン交換体の再生については、第１の態様と同様であるため、説明を省略する。
なお、第１の態様における混合工程は活性炭処理していない被処理水と環状化合物とを混合する工程であり、イオン交換処理工程は環状化合物を混合した、活性炭処理していない被処理水とイオン交換体とを接触させる工程である。
【００６２】
＜作用効果＞
以上説明した本発明の第２の態様のかび臭物質を除去可能な水処理装置、および該かび臭物質を除去可能な水処理装置を用いたかび臭物質の除去方法によれば、上述した特定の環状化合物と被処理水とを混合することにより、被処理水中に含まれるかび臭物質が環状化合物によって補足される。さらに、環状化合物を混合した被処理水とイオン交換体とを接触させることにより、かび臭物質を包接した環状化合物がイオン交換体に吸着され、被処理水からかび臭物質が除去される。
このように本発明によれば、被処理水と環状化合物との混合、および環状化合物が混合された被処理水とイオン交換体との接触という低コストかつ簡便な方法で、被処理水からかび臭物質を除去できる。
【００６３】
しかも、第２の態様では、イオン交換処理手段の上流に活性炭処理手段が設けられており、イオン交換処理工程の前に活性炭処理工程を行うので、かび臭物質中にトリハロメタンが含まれている場合は、トリハロメタンも除去できる。
【００６４】
＜他の形態＞
図２に示すかび臭物質を除去可能な水処理装置２ではイオン交換処理手段４０が活性炭処理手段７０の下流に設けられているが、イオン交換処理手段４０および活性炭処理手段７０が１つの処理手段として構成されていてもよい。すなわち、イオン交換体および活性炭が１つの塔に充填されていてもよい。具体的には、図２において、イオン交換体が活性炭吸着塔７１に充填されていても、活性炭がイオン交換体塔４１に充填されていてもよい。このような状態を混床ともいう。これに対して、図２に示すように、イオン交換体と活性炭とが別々の塔に充填されている状態をそれぞれ単床ともいう。イオン交換体と活性炭との混床状態の場合、イオン交換処理工程と活性炭処理工程が同時に行われる。
【００６５】
また、図２に示すかび臭物質を除去可能な水処理装置２では、第３の通水管７２の他端がイオン交換体塔４１の上部に接続され、第２の通水管４３の一端はイオン交換体塔４１の下部に接続されているが、第３の通水管７２の他端はイオン交換体塔４１の下部に接続され、かつ第２の通水管４３の一端はイオン交換体塔４１の上部に接続されていてもよい。この場合、被処理水Ｗは上向流にてイオン交換体塔４１を通過する。また、イオン交換体塔４１を横向きに設置し、被処理水Ｗを横向流で通水してもよい。ただし、被処理水Ｗの縦拡散による吸着帯長の増加、その結果による処理量の低下、プロセスの簡素化の観点から、被処理水Ｗ下向流でイオン交換体塔４１に通水させるのが好ましい。
【００６６】
また、図２に示すかび臭物質を除去可能な水処理装置２では、第３の通水管７２中で環状化合物と被処理水Ｗとを混合しているが、環状化合物と被処理水Ｗとを貯留槽２０で混合しても、第１の通水管２１で混合しても、イオン交換体塔４１で混合してもよい。すなわち、図２では捕捉剤供給管３２が第３の通水管７２に接続されているが、捕捉剤供給管３２を貯留槽２０に接続しても、第１の通水管２１に接続しても、イオン交換体塔４１の上部に接続してもよい。
【００６７】
図２に示すイオン交換処理手段４０は再生設備６０を備えており、イオン交換体をその場で再生することが可能とされている。例えばイオン交換体塔４１を新品の陰イオン交換体が充填されたものに交換し、使用済みのイオン交換体塔４１を別の場所に移動させた後に、イオン交換体の再生処理を行ってもよい。この場合、再生設備６０の設置を省くことができる。
【００６８】
また、活性炭処理手段７０の上流に、被処理水に次亜塩素酸塩を添加する酸添加手段（図示略）を設け、活性炭処理工程に先立ち被処理水に次亜塩素酸塩を添加してもよい。被処理水に次亜塩素酸塩を添加することで、被処理水が殺菌される。
次亜塩素酸塩としては、次亜塩素酸ナトリウム、次亜塩素酸カルシウムなどが挙げられる。これらの中でも、価格や流通性の観点から、次亜塩素酸ナトリウムが好ましい。
なお、被処理水に有機物が含まれている場合、この有機物と次亜塩素酸塩とが反応してトリハロメタン等の消毒副生成物が生成する場合がある。しかし、トリハロメタンが生成しても、後段の活性炭処理手段によって、トリハロメタンは活性炭に吸着され、被処理水から除去される。また、被処理水中の未反応の有機物や次亜塩素酸塩も活性炭に吸着されるので、被処理水から除去される。
【００６９】
また、活性炭処理手段７０の上流に、ろ過砂、ろ過砂利、マンガン砂、二酸化マンガン粒等の砂が充填された砂ろ過塔（図示略）を設置してもよい。被処理水に鉄やマンガンが含まれている場合、砂ろ過塔により鉄およびマンガンが除去される。被処理水を砂ろ過塔に供給する前に、被処理水にポリ塩化アルミニウム（ＰＡＣ）、硫酸アルミニウム（硫酸バンド）、有機高分子凝集剤、有機凝結剤等の凝集剤を添加しておくことが好ましい。
活性炭処理工程に先立ち被処理水に次亜塩素酸塩を添加する場合は、次亜塩素酸塩を添加する酸添加手段の下流に砂ろ過塔を設置するのが好ましい。すなわち、砂ろ過塔は、酸添加手段と活性炭処理手段７０との間に設置するのが好ましい。
なお、被処理水中に鉄（II）イオンが多く含まれている場合には、砂ろ過塔で被処理水を処理する前に、被処理水に空気をバブリングまたは圧入して鉄（II）イオンを鉄（III）イオンに空気酸化してもよい。あるいは次亜塩素酸ナトリウムによる酸化により鉄（III）イオンを沈殿させてもよい。
【００７０】
また、イオン交換処理手段４０と処理水槽５０との間に膜分離手段（図示略）を設置してもよい。被処理水に細菌や懸濁物質が含まれている場合、膜分離手段により細菌および懸濁物質が除去される。
膜分離手段としては特に制限されないが、公知の分離膜（ろ過膜）を備えた公知の膜モジュールが挙げられる。分離膜の種類としては、精密ろ過膜（ＭＦ膜）、限外ろ過膜（ＵＦ膜）が好ましい。
【００７１】
さらに、第１の態様では、被処理水Ｗを一旦、貯留槽２０に貯留しているが、被処理水Ｗを直接、活性炭処理手段７０に供給してもよい。この場合、揚水管１２が第１の通水管２１を兼ねることとなる。
【実施例】
【００７２】
以下、本発明を実施例により具体的に説明するが、本発明はこれらに限定されるものではない。
【００７３】
「実施例１」
ジェオスミンおよび２−ＭＩＢをそれぞれ１００ｐｐｍ含む標準原液（関東化学株式会社製、「ジェオスミン・２−メチルイソボルネオール標準原液」）を、ＨＰＬＣ用メタノールで希釈し、さらに超純水で希釈して、ジェオスミンおよび２−ＭＩＢの濃度がそれぞれ５０ｐｐｂである水溶液を５００ｍＬ調製した。この水溶液を被処理水として用いた。
別途、４−スルホチアカリックス［４］アレーンナトリウム塩（東京化成工業株式会社製）を０．５ｐｐｍ含む水溶液を５００ｍＬ調製した。この水溶液を捕捉剤溶液として用いた。
【００７４】
イオン交換体として、強塩基性陰イオン交換樹脂（三菱ケミカル株式会社製、「リライト  ＪＡ８１０」、ポーラス様樹脂）１０ｍＬを内径１３ｍｍ、高さ５０ｃｍのガラス製カラムに水スラリー状態で充填し、超純水を空間速度ＳＶ２０ｈｒ−１、イオン交換体の体積に対する通水量４０ＢＶの条件で通水し、陰イオン交換体を洗浄した。
次いで、カラム内を超純水で満たした後、被処理水および捕捉剤溶液をＨＰＬＣ用ポンプで１．０ｍＬ／分の条件で通水し、被処理水を処理した。
通水開始から１時間経過後にカラムの出口から排出された処理水を採取し、以下の測定条件によりヘッドスペースガスクロマトグラフ／質量分析装置（ＨＳ／ＧＣ／ＭＳ）で分析し、処理水中のジェオスミンおよび２−ＭＩＢの濃度を測定した。結果を表１に示す。なお、検出下限は１０ｐｐｔであった。
【００７５】
＜ＨＳ／ＧＣ／ＭＳ分析条件＞
・ＨＳ装置：Ａｇｉｌｅｎｔ  Ｔｅｃｈｎｏｌｏｇｉｅｓ社製の「Ａｇｉｌｅｎｔ  Ｇ１８８８」。
・ＧＣ装置：Ａｇｉｌｅｎｔ  Ｔｅｃｈｎｏｌｏｇｉｅｓ社製の「Ａｇｉｌｅｎｔ  ５９７５Ｃ  ＧＣ−ＭＳ」。
・サンプル試料：処理水１０ｍＬに塩化ナトリウム１．０ｇを添加し、４０℃に加温した。
・昇温条件：５０℃（５分保持）〜２５０℃（１０分保持）、昇温速度１０℃／分。
・分析時間：３５分。
・分析カラム：Ａｇｉｌｅｎｔ  Ｔｅｃｈｎｏｌｏｇｉｅｓ社製の「Ａｇｉｌｅｎｔ  ＤＢ−５ＭＳ」（３０ｍ×０．２５ｍｍＩＤ、膜厚０．２５μｍ）。
・キャリアガス：Ｈｅ。
・気化室温度：２００℃。
・スプリット比：２／１。
・注入量：１．００μＬ。
【００７６】
「実施例２」
イオン交換体として、強塩基性陰イオン交換樹脂（三菱ケミカル株式会社製、「ダイヤイオン  ＰＡ３０８」）を用いた以外は、実施例１と同様にして被処理水を処理し、処理水中のジェオスミンおよび２−ＭＩＢの濃度を測定した。結果を表１に示す。
【００７７】
【表１】
2019018179.tif 000003
【００７８】
表１の結果から明らかなように、各実施例の場合、処理水からジェオスミンおよび２−ＭＩＢは検出されなかった。
【符号の説明】
【００７９】
１  かび臭物質を除去可能な水処理装置
２  かび臭物質を除去可能な水処理装置
１０  揚水手段
１１  揚水ポンプ
１２  揚水管
２０  貯留槽
２１  第１の通水管
３０  混合手段
３１  捕捉剤溶解槽
３２  捕捉剤供給管
４０  イオン交換処理手段
４１  イオン交換体塔
４２  フィルター
５０  処理水槽
５１  第１の処理水供給管
５２  処理水ポンプ
５３  第２の処理水供給管
６０  再生設備
６１  再生剤供給管
６２  再生剤排出管
６３  再生剤収容タンク
７０  活性炭処理手段
７１  活性炭吸着塔
７２  第３の通水管
Ｗ  被処理水
【図１】
2019018179.tif 000004
【図２】
2019018179.tif 000005